(57)【特許請求の範囲】
【請求項１】
実質的に鉛直に立設した幕板の上部に水平位置と鉛直位置に回動可能に蝶着されたテーブル板と、前記幕板の裏面中央部に平行に突設された一対の溝板に上部より連続して穿設された円形溝と方形溝とを有する下部ガイドと、前記テーブル板下面に前記下部ガイドと中心線を合わせて平行に突設された一対の溝板に穿設された方形溝を有する上部ガイドと、上端部が連結シャフトにより連結され下端部に孔が穿設された一対のステーを有する支持部と、前記孔と前記下部ガイドの円形溝とを貫通し一端部に該円形溝より小径の円形溝摺動部と中央部に前記方形溝幅より小径の方形溝摺動部とを有するロックシャフトと、前記ロックシャフトの他端部に嵌合される前記円形溝摺動部と同径の円形溝摺動部と固着具の間に圧縮弾性材とを備え、前記下部ガイドの円形溝と方形溝に前記ロックシャフトが上下に摺動可能に緩挿され、前記上部ガイドの方形溝に前記連結シャフトが回動自在に緩挿され、前記テーブル板の水平位置に対応して前記下部ガイドの円形溝に前記円形溝摺動部が嵌合される上部位置から前記テーブル板の鉛直位置に対応して前記下部ガイドの方形溝下端部に方形溝摺動部が嵌合される下部位置間を前記ロックシャフトが摺動可能とされていることを特徴とする折畳みテーブル。
【請求項２】
請求項１に記載の折畳みテーブルにおいて、上部ガイドの溝板に穿設された方形溝に連結シャフトが摺動自在に緩挿され、テーブル板の水平位置においては前記連結シャフトが前記上部ガイドの方形溝最先端部に置かれ、テーブル板の鉛直位置においては前記連結シャフトが前記上部ガイドの方形溝後端部に置かれることを特徴とする折畳みテーブル。
【請求項３】
請求項１〜２のいずれかに記載の折畳みテーブルにおいて、ロックシャフトの方形溝摺動部に固着されたボスと、下部ガイドの外上方に固着されたソレノイドの先端にピンを有する電気ロック装置とを備え、上部位置における前記ロックシャフトに対し前記ソレノイドへの非通電時には弾性材の圧縮反力が働き下部ガイドの円形溝と円形溝摺動部が嵌合されてテーブル板が水平位置に保持され、前記ソレノイドへの通電時には前記ピンが前記ボスを介して弾性材の圧縮反力を減殺して前記下部ガイドの円形溝と円形溝摺動部の嵌合が解除されて前記下部ガイドの方形溝に方形溝摺動部が嵌合摺動されて前記テーブル板が水平位置から鉛直位置に移動可能とされていることを特徴とする折畳みテーブル。
【発明の詳細な説明】
【０００１】
【発明の属する技術分野】
本発明は、主としてホール、体育館等の観覧席に設置される折畳みテーブルの改良に関する。
【０００２】
【従来の技術】
従来これらの折畳みテーブルにおいては、手動によりテーブル板を支持するステーの腰を折って折畳むか、観覧席本体の幕板に収納するかしていた（実公平４−３３３２５号公報記載）。
【０００３】
【発明が解決しようとする課題】
手動による場合は、使用時にはテーブル板を持上げてテーブル板下に隠れているステーの腰を探して伸ばし、折畳む時にはステーの腰を折りながらテーブル板を押さえ付ける必要があり、個々の使用者にとって煩わしいという課題を有していた。
また、観覧席本体の幕板に収納する場合は、幕板を収納可能な大きさに取らねばならず、テーブル板をステーによって保持することができず、収納時には一旦テーブル板を持上げて幕板内に落とし込み、使用時にはテーブル板を引き上げて水平にセットする必要があり、使用者にとって煩わしくまた収納動作が必ずしも１００％完全に行われるとは限らずチェックが必要であり、火災や地震等の緊急時避難時の使用には信頼性に欠けるという課題を有していた。
本発明は、個々の使用者にとって使用時及び折畳み時のいずれも簡易な動作のみで済む折畳みテーブルを得ることを目的とする。
また、さらに緊急時避難時においては、多数の折畳みテーブルを一斉確実に折畳むことのできる簡易な折畳みテーブルを得ることを目的とする。
【０００４】
【課題を解決するための手段】
前記目的を得るため、
請求項１の発明にあっては、実質的に鉛直に立設した幕板の上部に水平位置と鉛直位置に回動可能に蝶着されたテーブル板と、前記幕板の裏面中央部に平行に突設された一対の溝板に上部より連続して穿設された円形溝と方形溝とを有する下部ガイドと、前記テーブル板下面に前記下部ガイドと中心線を合わせて平行に突設された一対の溝板に穿設された円形溝を有する上部ガイドと、上端部が連結シャフトにより連結され下端部に孔が穿設された一対のステーを有する支持部と、前記孔と前記下部ガイドの円形溝とを貫通し一端部に該円形溝より小径の円形溝摺動部と中央部に前記方形溝幅より小径の方形溝摺動部とを有するロックシャフトと、前記ロックシャフトの他端部に嵌合される前記円形溝摺動部と同径の円形溝摺動部と固着具の間に圧縮弾性材とを備え、前記下部ガイドの円形溝と方形溝に前記ロックシャフトが上下に摺動可能に緩挿され、前記上部ガイドの円形溝に前記連結シャフトが回動自在に緩挿され、前記テーブル板の水平位置に対応して前記下部ガイドの円形溝に前記円形溝摺動部が嵌合される上部位置から前記テーブル板の鉛直位置に対応して前記下部ガイドの方形溝下端部に方形溝摺動部が嵌合される下部位置間を前記ロックシャフトが摺動可能とされている折畳みテーブルにより解決した。
請求項２の発明にあっては、請求項１に記載の折畳みテーブルにおいて、上部ガイド溝板に穿設され方形溝に連結シャフトが摺動自在に緩挿され、テーブル板の水平位置においては前記連結シャフトが前記上部ガイドの方形溝最先端部に置かれ、テーブル板の鉛直位置においては前記連結シャフトが前記上部ガイドの方形溝後端部に置かれる折畳みテーブルとするのが望ましい。
請求項３の発明にあっては、請求項１〜２のいずれかに記載の折畳みテーブルにおいて、ロックシャフトの方形溝摺動部に固着されたボスと、下部ガイドの外上方に固着されたソレノイドの先端にピンを有する電気ロック装置とを備え、上部位置における前記ロックシャフトに対し前記ソレノイドへの非通電時には弾性材の圧縮反力が働き下部ガイドの円形溝と円形溝摺動部が嵌合されてテーブル板が水平位置に保持され、前記ソレノイドへの通電時には前記ピンが前記ボスを介して弾性材の圧縮反力を減殺して前記下部ガイドの円形溝と円形溝摺動部の嵌合が解除されて前記下部ガイドの方形溝に方形溝摺動部が嵌合摺動されて前記テーブル板が水平位置から鉛直位置に移動可能とされている折畳みテーブルとするのが望ましい。
【０００５】
【発明の実施の形態】
本発明の実施の形態を図面を参照して説明する。
本発明の折畳みテーブル１は次の構成を備えている。
床面Ｆ上又は移動観覧席台車上に実質的に鉛直に立設された支柱４、４間に通常合板、金属又はプラスチック等製の幕板３が固着され、幕板３の上部にヒンジ３０、３０と３１、３１、及びピン３２、３２によって水平位置と鉛直位置に回動可能にテーブル板２が蝶着されている。幕板３の裏面（背面側）中央部に溝板保持部９が固着された断面コ字形の突出する一対の溝板８、８に上部より連続して穿設された直径ｄ１の円形溝７、７と幅Ｗ１の長方形の方形溝６、６を有し溝全体長さｈの下部ガイド５と、テーブル板２下面に下部ガイド２と中心線を合わせて溝板保持部２９が固着された断面コ字形の突出する一対の溝板２８、２８に穿設された幅ｍ全体長さｎの長方形の方形溝２７、２７を有する上部ガイド２６が設けられている。溝板保持部９及び２９は溝板８及び２８を連結しているが、中間を切離して一対の溝板８及び２８をそれぞれ独立して幕板３及びテーブル板２に固着することとしてもよい。
そして、上端部が連結シャフト２４により連結され下端部に孔２５、２５が穿設された一対のステー２３、２３を有する支持部２２と、孔２５、２５と円形溝７、７とを貫通し端縁の頭部１９に続いて一端部に直径ｄ２の断面円形の円形溝摺動部１８と中央部に断面円形の直径Ｗ２の方形溝摺動部１７とを有するロックシャフト１６と、ロックシャフト１６の他端部に嵌合される直径ｄ２の断面円形の円形溝摺動部１４と固着具の押し釦２１の間に弾性材のばね２０が圧縮して設けられている。ここで、円形溝７の直径ｄ１は円形溝摺動部１４、１８の直径ｄ２より僅かに大きく取られ、方形溝幅Ｗ１は方形溝摺動部１７の直径Ｗ２より僅かに大きく取られ、下部ガイド５の円形溝７、７と方形溝６、６にロックシャフト１６が上下に摺動可能に緩挿されている。
【０００６】
テーブル板２の水平位置に対応して下部ガイド５の円形溝７、７に円形溝摺動部１８、１４が嵌合される上部位置からテーブル板２の鉛直位置に対応して下部ガイド５の方形溝６、６に方形溝摺動部１７が嵌合される下部位置間をロックシャフト１６が摺動可能とされている。
また、上部ガイド２６の方形溝２７、２７に連結シャフト２４が回動自在に緩挿され、テーブル板２の水平位置においては連結シャフト２４が上部ガイド２６の方形溝２７、２７の最先端部（背面側よりみて手前側）に置かれ、テーブル板２の鉛直位置においては連結シャフト２４が上部ガイド２６の方形溝２７、２７の最後端部（背面側よりみて奥側）に置かれる。
上部ガイド２６の方形溝２７、２７の全体長さｎは余裕をもたせて長めに取ってもよいが、その場合は図３に示す如くテーブル板２の鉛直位置においては連結シャフト２４が上部ガイド２６の方形溝２７、２７の最後端部より手前側の後端部すなわち鉛直位置において最上部位置より僅かに下に位置して収納されることとなる。
ここで、上部ガイド２６の方形溝２７、２７に代えて、円形溝を穿設し、連結シャフト２４を前記した例のごとく方形溝２７、２７の最先端部から最後端部に移動せずに円形溝に固定位置に置くことも可能であり、この場合は上部ガイドは構造が簡単になる反面下部ガイド５の溝全体長さｈを前記した例よりも長く取る必要があり、幕板３の鉛直方向高さとの関係を考慮する必要が生ずるので、方形溝２７、２７を設けた方がコンパクトに収まる。
なお、幕板３裏面及びテーブル板２下面の対応位置にゴム等の弾性を有する当止め３３が数個固着されているがこれは必ずしも必要ではない。
【０００７】
ロックシャフト１６の方形溝摺動部１７にはボス１５が固着され、下部ガイド５の外上方には幕板３に固着されたソレノイド１１の先端にピン１３を有する電気ロック装置１０を備えている。上部位置におけるロックシャフト１６に対しソレノイド１１への非通電時には弾性材のばね２０の圧縮反力が働き円形溝７、７と円形溝摺動部１８、１４が嵌合されてテーブル板２が水平位置に保持され、ソレノイド１１への通電時にはピン１３がボス１５を図１、５において水平方向右側に移動させてばね２０の圧縮反力を減殺して円形溝７、７と円形溝摺動部１８、１４の嵌合が解除され主としてテーブル板２の自重によって方形溝６に方形溝摺動部１７が嵌合摺動されてテーブル板２が水平位置から鉛直位置に移動可能とされている。
この電気ロック装置１０は必ずしも必要ではなく、その場合には手動によりロックシャフト１６を前記と同様に水平方向右側に移動させてばね２０の圧縮反力を減殺して円形溝７、７と円形溝摺動部１８、１４の嵌合を解除すればよいが、電気ロック装置１０を設けることにより緊急時避難時においては、ソレノイド１１への通電によって多数の折畳みテーブルを一斉確実に折畳むことができるので望ましい。
【０００８】
次に、本発明の折畳みテーブル１の作動について説明する。
通常当初折畳みテーブル１は図３、図４（ｃ）に示す収納状態にあって、テーブル板２は鉛直位置に置かれている。使用する場合には、テーブル板２の鉛直位置においては連結シャフト２４が方形溝２７、２７の最後端部にあっては最上部の位置に置かれ、使用者が手をテーブル板２の先端（背面側よりみて手前側）下部に当てテーブル板２を図４（ｂ）に示す反時計方向矢印Ｐに回動させると、連結シャフト２４が方形溝２７、２７の最後端部から最先端部に移動し、次いで方形溝６、６の最下部に方形溝摺動部１７が嵌合されていたロックシャフト１６が方形溝６、６に沿って摺動上昇し、最上部に達して円形溝７、７に移るとばね２０の圧縮反力が働き円形溝７、７と円形溝摺動部１８、１４が嵌合されたロックシャフト１６によってテーブル板２が図２の実線、図４（ａ）に示す水平位置に保持される。
上部ガイド２６の方形溝２７、２７に代えて円形溝が穿設されている場合には、連結シャフト２４は移動せずに円形溝の位置に固定されてテーブル板２は前記した水平位置から鉛直位置間を回動させられるが、この場合に比して方形溝２７、２７を備えた場合は溝２７、２７の全体長さｎの存在によって、下部ガイド５の溝全体長さｈを短く取ることができるので方形溝２７、２７を備えるのが望ましい。
【０００９】
逆に、折畳みテーブル１を使用状態（図２の実線、図４（ａ））から収納状態（図３、図４（ｃ））にするには、手動により図１に示すロックシャフト１６を水平方向右側に移動させてばね２０の圧縮反力を減殺して円形溝７、７と円形溝摺動部１８、１４の嵌合を解除するか、ソレノイド１１へ通電してピン１３がボス１５を同様に水平方向右側に移動させてばね２０の圧縮反力を減殺して円形溝７、７と円形溝摺動部１８、１４の嵌合が解除されると、先ずロックシャフト１６が主としてテーブル板２の自重によって方形溝６、６に沿って摺動下降し、方形溝６、６の最下部に達すると水平位置より下側にある方形溝２７、２７の最先端部にあった連結シャフト２４が方形溝２７、２７を上方に向かってせり上がり、最後端部（図３にあっては最上部の位置）に達してテーブル板２は水平位置から鉛直位置に移動し収納状態となる。
上部ガイド２６に方形溝２７、２７に代えて円形溝が穿設されている場合には、連結シャフト２４は移動せずに円形溝の位置に固定されてテーブル板２は前記した水平位置から鉛直位置間を回動させられる。
【００１０】
【発明の効果】
本発明は、個々の使用者にとって使用時及び折畳み時のいずれも簡易な動作のみで済む折畳みテーブルが得られ、さらに緊急時避難時においては、多数の折畳みテーブルを一斉確実に折畳むことのできる簡易な折畳みテーブルが得られる。
【図面の簡単な説明】
【図１】本発明の折畳みテーブルの一例を示す背面図である。
【図２】図１に示す折畳みテーブルの使用状態における側面図である。
【図３】図１に示す折畳みテーブルの収納状態における側面図である。
【図４】図１に示す折畳みテーブルの（ａ）使用状態（ｂ）折畳み途中（ｃ）収納状態を模式的に示す側面図である。
【図５】図１に示す折畳みテーブルの主たる構成要素を分解し模式的に示す概略図である。
【符号の説明】
１  折畳みテーブル
２  テーブル板
３  幕板
４  支柱
５  下部ガイド
６、２７  方形溝
７  円形溝
８、２８  溝板
９、２９  溝板保持具
１０  電気ロック装置
１１  ソレノイド
１３、３２  ピン
１４、１８  円形溝摺動部
１５  ボス
１６  ロックシャフト
１７  方形溝摺動部
１９  頭部
２０  ばね
２１  押し釦
２２  支持部
２３  ステー
２４  連結シャフト
２５  孔
２６  上部ガイド
３０、３１  ヒンジ
３３  当止め
ｄ１、ｄ２、Ｗ２  直径
Ｗ１、ｍ  幅
ｈ、ｎ  長さ
Ｐ、Ｑ  矢印方向
Ｆ  床面
【図１】
0003582031.tif 000002
【図２】
0003582031.tif 000003
【図３】
0003582031.tif 000004
【図４】
0003582031.tif 000005
【図５】
0003582031.tif 000006